(57)【要約】【課題】  使用者に選択されるチャネルのみを選択的にチャネル復号することで、ハードウェア縮小及び電力消費低減を図るデジタル放送受信機及びデジタル放送受信方法を提供する。【解決手段】  コード分割多重化方式のデジタル放送受信機は、コード分割多重化されたチャネルのうち、あるチャネルに対して復調する復調部３２０と、復調されたチャネルに対してデインターリーブを行うデインターリーブ部３３０と、デインターリーブされたチャネルのうち、使用者に選択された所定のチャネルを選択的にスイッチングするチャネルスイッチング部３４０と、スイッチングされた所定のチャネルに対してチャネル復号するチャネル復号部３５０と、デインターリーブされたチャネルのうち、使用者に選択された所定のチャネルをスイッチングするようにチャネルスイッチング部３４０を制御する制御部３８０とを含む。【選択図】    図３
2005124203.tif 000002
【特許請求の範囲】
【請求項１】
コード分割多重化方式のデジタル放送受信機において、
コード分割多重化されたチャネルのうち、あるチャネルに対して復調を行う復調部と、
前記復調されたチャネルに対してデインターリーブを行うデインターリーブ部と、
前記デインターリーブされたチャネルのうち、使用者により選択された所定のチャネルを選択的にスイッチングするチャネルスイッチング部と、
前記スイッチングされた所定のチャネルに対してチャネル復号を行うチャネル復号部と、
前記デインターリーブされたチャネルのうち、前記使用者により選択された所定のチャネルをスイッチングするように前記チャネルスイッチング部を制御する制御部と、
を含むことを特徴とするデジタル放送受信機。
【請求項２】
前記チャネル復号部は、
ペイロードデータを伝送する放送チャネル及び制御データを伝送するパイロットチャネルに対してチャネル復号を行うために共通に用いられることを特徴とする請求項１に記載のデジタル放送受信機。
【請求項３】
前記チャネル復号部は、
前記所定のチャネルに対応するチャネル復号器を有し、
前記チャネル復号器は、
ビタービ復号器（Viterbi Decoder）、バイトデインターリーバ（Byte Deinterleaver）及びＲＳ復号器（Reed-Solomon Decoder）を含む
ことを特徴とする請求項１に記載のデジタル放送受信機。
【請求項４】
前記所定のチャネルは、
付加データを伝送するＣＡＳ（Conditional Access Service）チャネル、ＥＰＧ（Electronic Program Guide）チャネル、パイロットチャネル、及び前記使用者の選択による少なくとも一つ以上の放送チャネル、
を含むことを特徴とする請求項１に記載のデジタル放送受信機。
【請求項５】
コード分割多重化方式のデジタル放送受信機が行うデジタル放送受信方法において、
コード分割多重化されたチャネルのうち、あるチャネルに対して復調を行う復調段階と、
前記復調されたチャネルに対してデインターリーブを行うデインターリーブ段階と、
前記デインターリーブされたチャネルのうち、使用者により選択された所定のチャネルを選択的にスイッチングするスイッチング段階と、
前記スイッチングされた所定のチャネルに対してチャネル復号を行うチャネル復号段階と、
を含むことを特徴とするデジタル放送受信方法。
【請求項６】
前記チャネル復号段階は、
ペイロードデータを伝送する放送チャネル及び制御データを伝送するパイロットチャネルのうち、いずれかに対してチャネル復号を行うことを特徴とする請求項５に記載のデジタル放送受信方法。
【請求項７】
前記チャネル復号段階は、
前記所定のチャネルに対して各々チャネル復号を行い、
前記各々のチャネル復号は、
ビタービ復号、バイトデインターリーブ及びＲＳ復号を含む
ことを特徴とする請求項５に記載のデジタル放送受信方法。
【請求項８】
前記所定のチャネルは、
付加データを伝送するＣＡＳチャネル、ＥＰＧチャネル、パイロットチャネル、及び前記使用者の選択による少なくとも一つの放送チャネルを含む
ことを特徴とする請求項５に記載のデジタル放送受信方法。
【発明の詳細な説明】
【技術分野】
【０００１】
本発明は、デジタル放送受信機に関し、さらに詳細には、コード分割多重化したチャネルのうち、最小限必要なチャネルを選択的に復号することによって、チャネル復号器のハードウェア縮小及び電力消費低減を図るデジタル放送受信機及びデジタル放送受信方法に関する。
【背景技術】
【０００２】
図１は、デジタル放送方式のうち、一般的なコード分割多重化方式（CDMA:Code Division Multiple Access）を使用するデジタル放送受信機の概略的なブロック図である。
デジタル放送受信機は、復調部２０、デインターリーブ部３０、チャネル復号部５０、画像音声合成部６０及び出力部７０を有している。
【０００３】
復調部２０は、受信された多重化された放送チャネルのうち、使用者により選択されるか、または、予め選択された、あるチャネルに対して復調（変調後、送受信されたチャネルの復調）を行う。デインターリーブ部３０は、復調されたチャネルに対してデインターリーブ（分散後、送受信されたチャネルの再結合）を行い、チャネル復号部５０は、デインターリーブされたチャネルに対してチャネル復号（符号化後、送受信されたチャネルの復号）を行う。
チャネル復号部５０は、送信機の符号化方式に対応する所定の方式により復号を行う。一般に、ビタービ復号、バイトデインターリーブ及びＲＳ（Reed-Solomon）復号を行う。画像音声合成部６０は、復号された所定のチャネルのうち、使用者が最終的に選択したチャネルの画像信号、音声信号及び付加データを適切な再生タイミングにより合成し、合成した信号を出力部７０に出力する。
【０００４】
図２は、図１に示すデジタル放送受信機によるデジタル放送の受信過程を説明する図である。
図２に示すように、復調部２０では多重化されたチャネルのうち、使用者により選択されるか、予め選択されたｍ（ｍは整数）個のチャネルに対して復調する。
【０００５】
デインターリーブ部３０は、ｍ個のチャネルに対応するデインターリーバメモリを有し、復調されるｍ個のチャネルのデータは、ｍ個のデインターリーバメモリに格納されてビットデインターリーブが行われる。その後、デインターリーブされたｍ個のチャネルは、チャネル別に各々チャネル復号が行われる。
チャネル復号部５０は、ｍ個のチャネルに対応してビタービ復号器、バイトデインターリーバ及びＲＳ復号器を各々有している。これによると、デインターリーブされたｍ個のチャネルのデータは、各々のチャネルに該当するビタービ復号器、バイトデインターリーバ及びＲＳ復号器を介して復号が行われる。
また、パイロットチャネル（制御チャネルともいう）の制御データは、復調された後、パイロットチャネルに対応して備えられた別途のチャネル復号器（Viterbi Decoder、Byte Deinterleaver、Reed-Solomon Decoder）を介してチャネル復号される。
【０００６】
このように、従来のデジタル放送受信機は、デインターリーブ部と、チャネル復号部（ビタービ復号器、バイトデインターリーバ、ＲＳ復号器、デマルチプレクサ（DEMUX）、画像/音声復号器等）がｍ個のチャネルに対して一対一マッチングされるように備えられ、これによりｍ個のチャネルに対してチャネル復号を全て行う。
したがって、使用者により最終的に選択されたチャネル以外の他のチャネルに対しても、チャネル復号を行うようになる。これによれば、従来のチャネル復号器はハードウェアサイズが大きく、また、そのため電力消費も大きいという短所を持っている。
【発明の開示】
【発明が解決しようとする課題】
【０００７】
本発明は、上記した従来技術の問題点に鑑みてなされたものであって、その目的とするところは、使用者によって最終的に選択されるチャネルのみを選択的にチャネル復号することによって、ハードウェア縮小及び電力消費低減を図るデジタル放送受信機及びそのデジタル放送受信方法を提供することにある。
また、本発明は、放送チャネル及びパイロットチャネルに対して共通のチャネル復号器を有するデジタル放送受信機を提供することを目的とする。
【課題を解決するための手段】
【０００８】
上記の目的を達成するための本発明に係るデジタル放送受信機は、コード分割多重化されたチャネルのうち、あるチャネルに対して復調を行う復調部と、前記復調されたチャネルに対してデインターリーブを行うデインターリーブ部と、前記デインターリーブされたチャネルのうち、使用者により選択された所定のチャネルを選択的にスイッチングするチャネルスイッチング部と、前記スイッチングされた所定のチャネルに対してチャネル復号を行うチャネル復号部と、前記デインターリーブされたチャネルのうち、前記使用者により選択された所定のチャネルをスイッチングするように前記チャネルスイッチング部を制御する制御部とを含む。
【０００９】
好ましくは、前記チャネル復号部は、ペイロードデータを伝送する放送チャネル及び制御データを伝送するパイロットチャネルに対してチャネル復号を行うために共通に用いられる。
前記チャネル復号部は、前記所定のチャネルに対応するチャネル復号器を有し、前記チャネル復号器は、ビタービ復号器、バイトデインターリーバ及びＲＳ復号器を含む。
前記所定のチャネルは、付加データを伝送するＣＡＳ（Conditional Access Service）チャネル、ＥＰＧ（Electronic Program Guide）チャネル、パイロットチャネル、及び前記使用者の選択による少なくとも一つ以上の放送チャネルを含む。
【００１０】
また、本発明に係るデジタル放送受信方法は、コード分割多重化されたチャネルのうち、所定のチャネルに対して復調を行う復調段階と、前記復調された所定のチャネルに対してデインターリーブを行うデインターリーブ段階と、前記デインターリーブされた所定のチャネルのうち、使用者により選択された所定のチャネルを選択的にスイッチングするスイッチング段階と、前記スイッチングされた所定のチャネルに対してチャネル復号を行うチャネル復号段階とを含む。
【００１１】
好ましくは、前記チャネル復号段階は、ペイロードデータを伝送する放送チャネル及び制御データを伝送するパイロットチャネルのうち、いずれかに対してチャネル復号を行う。
【００１２】
したがって、復調及びデインターリーブされたチャネルに対して使用者が最終的に選択したチャネルのみを選択してチャネル復号を行うことによって、チャネル復号器のハードウェアを縮小させることができ、これにより受信機の電力消費を低減できる。
【発明の効果】
【００１３】
本発明によると、復調及びデインターリーブされたチャネルに対して使用者が最終的に選択したチャネルのみを選択してチャネル復号を行うことによって、チャネル復号器のハードウェアを縮小させることができ、これにより受信機の電力消費を低減できる。
また、チャネル復号器を放送チャネル及びパイロットチャネルに対して共通に用いることによって、ハードウェアの縮小を図り、かつ、パイロットチャネルが伝送されない間には放送チャネルに対してチャネル復号を行うことのできる長所を有する。
【発明を実施するための最良の形態】
【００１４】
以下、図面を参照しながら本発明をさらに詳細に説明する。
【００１５】
図３は、本発明に係るデジタル放送受信機の概略的なブロック図である。デジタル放送受信機は、復調部３２０、デインターリーブ部３３０、チャネルスイッチング部３４０、チャネル復号部３５０、画像音声合成部３６０、出力部３７０及び制御部３８０を有している。
【００１６】
復調部３２０は、受信端（図示せず）から受信された、コード分割多重化されたチャネルのうち、使用者により選択されるか、または予め選択されたチャネルに対してチャネル別に復調する。
デインターリーブ部３３０は、デインターリーバ（Bit-Deinterleaver）であって、復調されたチャネルに対してチャネル別にデインターリーブを行う。
【００１７】
チャネルスイッチング部３４０は、デインターリーブされたチャネルのうち、使用者の選択に対応する所定のチャネルを選択するようにスイッチングする。すなわち、制御部３８０は、使用者の選択したチャネルを選択するようにチャネルスイッチング部３４０を制御する。チャネルスイッチング部３４０で選択された所定のチャネルは、チャネル復号部３５０に出力される。ここで、所定のチャネルは、最小限必要なチャネルであって、付加データチャネルのＣＡＳチャネル、ＥＰＧチャネル、パイロットチャネル、及び使用者の選択による少なくとも一つ以上の放送チャネルを含む。
【００１８】
チャネル復号部３５０は、チャネルスイッチング部３４０でスイッチングされた所定のチャネルに対してチャネル復号を行う。チャネル復号は、ビタービ復号、バイトデインターリーブ及びＲＳ復号を含み、前記チャネル復号は、所定のチャネルに対してチャネル別に行われる。
また、チャネル復号部３５０は、放送チャネル及びパイロットチャネルに対して共通に用いられ、入力されるチャネルに関係なくチャネル復号を行う。一般に、デジタル放送のチャネルは、ペイロードデータ（Pay Load Data）を伝送する放送チャネルと、制御データを伝送するパイロットチャネルとに区分され、これに伴いチャネル復号方式が互いに異なって適用される。そこで、本発明に係るチャネル復号部３５０は、２つのチャネル復号方式を適用することによって、放送チャネル及びパイロットチャネルに対して共通に用いられるようになる。
【００１９】
画像音声合成部３６０は、チャネル復号された所定のチャネルに該当する画像信号、音声信号及び付加データを適切な再生タイミングにより合成して、出力部３７０を通して外部に出力する。
制御部３８０は、全般的なシステムの動作を制御し、チャネル選択を制御する。すなわち、コード分割多重化されたチャネルに対して使用者の選択にしたがって所定のチャネルを選択するようにチャネルスイッチング部３４０を制御する。
【００２０】
図４は、図３に示すデジタル放送受信機の詳細なブロック図であり、図５は本発明に係るデジタル放送受信機によるデジタル放送受信方法を示すフローチャートである。図４及び図５を参照して、本発明に係るデジタル放送受信方法をさらに詳細に説明する。
【００２１】
送信側で予め決められたコード（例えば、ウォルシュ・コード）に分割されたＬ（Ｌは整数）個のチャネルが並列に受信部４１０に受信される（Ｓ５１１）。
受信されたＬ個のチャネルに対して、使用者により選択されるか、または予め選択されたチャネルの情報に基づいて、制御部４８０は、受信部４１０を制御して、Ｌ個のチャネルのうちＭ（Ｍは整数、Ｌ≧Ｍ）個のチャネルを選択する（Ｓ５１３）。
受信部４１０から選択されたＭ個のチャネルは、復調部４２０に入力される。復調部４２０は、Ｍ個のチャネルに対応するＭ個の復調器を備える。これにより、Ｍ個の復調器は、Ｍ個のチャネルに対してチャネル別に復調を行う（Ｓ５１５）。
【００２２】
復調部４２０を通して復調されたＭ個のチャネルは、ビットデインターリーブ部４３０に入力される。ビットデインターリーブ部４３０は、Ｍ個のチャネルに対応するＭ個のデインターリーバメモリを有し、入力されたＭ個のチャネルは、各々該当するデインターリーバメモリに格納される。
Ｍ個のデインターリーバメモリにＭ個のチャネルが格納された後、ビットデインターリーブ部４３０は、ビットデインターリーブを行って出力する（Ｓ５１７）。なお、Ｍ個のチャネルに含まれたパイロットチャネルに対しては、ビットデインターリーブが行われないことが望ましい。
【００２３】
ビットデインターリーブ部４３０でデインターリーブされたＭ個のチャネルは、チャネルスイッチング部４４０に入力される。この場合、チャネルスイッチング部４４０は、制御部４８０の制御にしたがって、使用者によって最終的に選択されたＮ個のチャネルをスイッチングしてチャネル復号部４５０に出力する（Ｓ５１９）。すなわち、最終的に受信するＮ個のチャネルのみがチャネル復号部４５０に伝送される。
チャネル復号部４５０は、最終的に選択されたＮ個のチャネルに対応するＮ個のチャネル復号器を有し、Ｎ個のチャネル復号器は、ビタービ復号器４５１、バイトデインターリーバ４５３及びＲＳ復号器４５５を各々含んでいる。
【００２４】
これによって、Ｎ個のチャネル復号器４５０は、最終的に選択されたＮ個のチャネルに対してチャネル復号を行う（Ｓ５２１）。
チャネル復号部４５０で復号された最終受信チャネルの画像信号、音声信号及び付加データは、所定の再生タイミングにより合成されて、出力部３７０、すなわち、表示装置を通して外部に表示される（Ｓ５２３）。
【００２５】
このように、チャネルスイッチング部４４０で最終的に必要なチャネルのみをスイッチングしてチャネル復号部４５０に伝送することによって、チャネル復号部４５０のハードウェアを最小化することができ、これによりシステムの電力消費も低減できる。
また、放送チャネル及びパイロットチャネルに対して共通に用いられるチャネル復号部４５０によって、パイロットチャネルが伝送されない間に他の放送チャネルを復号できるという長所を有する。
【００２６】
図６Ａないし図６Ｃは、本発明に係るデジタル放送受信方法に対する多様な実施の形態を示すものである。すなわち、コード分割多重化されたチャネルに対して受信部４１０で６個のチャネルが選択され、デインターリーバメモリ４３１ないし４３６に各々格納されてデインターリーブされた後、使用者により最終的に選択された５個のチャネルに対してチャネル復号器４５１ないし４５５でチャネル復号される場合の例を示すものである。
【００２７】
図６Ａは、デインターリーバメモリ４３１ないし４３６でデインターリーブされたチャネル＃０、＃１、＃２、＃３、＃４、＃５のうち、使用者により最終的に選択されたチャネルが＃０、＃１、＃２、＃３、＃４である場合である。図６Ａに示すように、チャネルスイッチング部４４０は、使用者の最終的な選択に対応して、デインターリーブされたチャネルのうち、チャネル＃０、＃１、＃２、＃３、＃４をスイッチングしてチャネル復号部４５０の５個のチャネル復号器４５１ないし４５５に各々出力する。これにより、チャネル復号部４５０では、最終的に選択されたチャネル＃０、＃１、＃２、＃３、＃４に対し各々チャネル復号を行う。
【００２８】
一方、図６Ｂに示すように、最終的に選択されたチャネルが＃０、＃１、＃３、＃４、＃５である場合、チャネルスイッチング部４４０では、これに対応してチャネル＃０、＃１、＃３、＃４、＃５をスイッチングしてチャネル復号部４５０に出力する。これによりチャネル復号部４５０で最終的に選択されたチャネル＃０、＃１、＃３、＃４、＃５に対し各々チャネル復号を行う。
【００２９】
他方、図６Ｃに示すように、最終的に選択されたチャネルが＃１、＃２、＃３、＃４、＃５である場合、チャネルスイッチング部４４０ではこれに対応してチャネル＃１、＃２、＃３、＃４、＃５をスイッチングしてチャネル復号部４５０に出力する。これによりチャネル復号部４５０で最終選択されたチャネル＃１、＃２、＃３、＃４、＃５に対し各々チャネル復号を行う。
【００３０】
以上のように、チャネル復号部４５０は、最終的な受信に必要な所定のチャネルを復号するための所定のチャネル復号器（ビタービ復号器、バイトデインターリーバ、ＲＳ復号器）のみが必要となる。
したがって、システムのハードウェアを縮小し、また、それに伴って電力消費を低減することができる。
【００３１】
なお、本発明は、上記の実施の形態として開示した範囲に限定されるものではない。本発明に係る技術的思想から逸脱しない範囲内で多くの改良、変更が可能であり、それらも本発明の技術的範囲に属する。
【産業上の利用可能性】
【００３２】
コード分割多重化されたチャネルのうち、最小限必要なチャネルを選択的に復号することによって、チャネル復号器のハードウェア縮小及び電力消費低減を図るデジタル放送受信機及びそのデジタル放送受信方法に適用することができる。
【図面の簡単な説明】
【００３３】
【図１】従来のデジタル放送受信機の概略的なブロック図である。
【図２】図１に示すデジタル放送受信機の受信信号処理過程を説明する図である。
【図３】本発明に係るデジタル放送受信機の概略的なブロック図である。
【図４】図３に示すデジタル放送受信機によるデジタル放送受信過程を説明するための詳細なブロック図である。
【図５】図３に示すデジタル放送受信機によるデジタル放送受信方法を示すフローチャートである。
【図６Ａ】本発明に係るデジタル放送受信過程の多様な例を示す図である。
【図６Ｂ】本発明に係るデジタル放送受信過程の多様な例を示す図である。
【図６Ｃ】本発明に係るデジタル放送受信過程の多様な例を示す図である。
【符号の説明】
【００３４】
３２０、４２０  復調部
３３０  デインターリーブ部
３４０、４４０  チャネルスイッチング部
３５０、４５０  チャネル復号部
３６０  画像音声合成部
３７０  出力部
３８０、４８０  制御部
４１０  受信部
４３０  ビットデインターリーブ部
４５１  ビタービ復号器
４５３  バイトデインターリーバ
４５５  ＲＳ復号器
【図１】
2005124203.tif 000003
【図２】
2005124203.tif 000004
【図３】
2005124203.tif 000005
【図４】
2005124203.tif 000006
【図５】
2005124203.tif 000007
【図６Ａ】
2005124203.tif 000008
【図６Ｂ】
2005124203.tif 000009
【図６Ｃ】
2005124203.tif 000010